(57)【要約】      （修正有）【課題】気温が上昇したとしても、室内空間を快適な温度に維持するための散水システムを提供する。【解決手段】家屋１の屋根部２および側壁部３の周縁角部に取り付けられた給水管１１と、噴射口が家屋１の外側の全方向に向けてそれぞれ配置され、家屋１の外側の全方位にミストを噴出する複数の噴射ノズル１２とを備えた。また、給水管１１に配設された電磁弁と、外気温、室温、風向きを検出することで、噴射ノズル１２が噴出するミストの量を調整する制御手段を備えた。【選択図】図１
0003226623.tif 000002
【実用新案登録請求の範囲】
【請求項１】
家屋の屋根部および側壁部の周縁角部に取り付けられた給水管と、
噴射口が前記家屋の外側の全方向に向けてそれぞれ配置され、前記家屋の外側の全方位にミストを噴出する複数の噴射ノズルと、
を備えたことを特徴とする散水システム。
【請求項２】
前記給水管に配設された電磁弁と、外気温、室温、風向きを検出することで、前記噴射ノズルが噴出するミストの量を調整する制御手段を備えたことを特徴とする請求項１に記載散水システム。
【考案の詳細な説明】
【技術分野】
【０００１】
本考案は、建物の外側にミスト状の水を散水するための散水システムに関する。
【背景技術】
【０００２】
近年では、夏期の平均気温が上昇し、住環境の変化が体感で認識されるようになってきた。そのため、家屋で居住する人が高温によって不快を感じたり、熱中症にならないための環境作りが求められている。
【０００３】
例えば、公共の屋外設備には、ミスト状の水をスポット的に散水して、この水の気化熱で周辺気温を下げる、いわゆるミストシャワーが使用されている（例えば、特許文献１参照）。
【先行技術文献】
【特許文献】
【０００４】
【特許文献１】特開２０１０−９６４１５号公報
【考案の概要】
【考案が解決しようとする課題】
【０００５】
ミストを用いて屋外設備をスポット的に冷却するシステムは、種々のものが考案されている。しかしながら、家屋に居住する室内空間を快適に維持するためのシステムについては未だ考案されていない。
【０００６】
本考案は、上述した事情を鑑みてなされたものであり、外気温が上昇したとしても、室内空間を快適な温度に維持するための散水システムを提供するためのものである。
【課題を解決するための手段】
【０００７】
上述課題を解決するため、本考案に係る散水システムは、家屋の屋根部および側壁部の周縁角部に取り付けられた給水管と、噴射口が前記家屋の外側の全方向に向けてそれぞれ配置され、前記家屋の外側の全方位にミストを噴出する複数の噴射ノズルとを備えたことを特徴とする。
【０００８】
また、前記給水管に配設された電磁弁と、外気温、室温、風向きを検出することで、前記噴射ノズルが噴出するミストの量を調整する制御手段を備えていてもよい。
【考案の効果】
【０００９】
本考案による散水システムによれば、噴射口が家屋の外側の全方向に向けてそれぞれ配置され、家屋の外側の全方位にミストを噴出する複数の噴射ノズルを備えているので、家屋の外側には、噴出されたミストによって層が形成される。このミストの層によって、家屋は気化熱によって冷却され、熱帯夜の寝苦しい夜でも室内を快適な温度に維持することができる。また、給水された水をミスト状にして散水するので、水をそのまま散水するシステムと比較して、水道代を節約することができる。
【図面の簡単な説明】
【００１０】
【図１】本考案の実施の形態に係る散水システムを備えた家屋の概要図である。
【図２】家屋の外側にミストの層が形成された状態を示す概要図である。
【考案を実施するための形態】
【００１１】
以下、本考案の実施形態に係る散水システム１０について、図１、図２を用いて詳細に説明する。図１は、散水システム１０を備えた家屋の概要図である。また、図２は、家屋１の外側にミスト２０の層２１が形成された状態を示す概要図である。
【００１２】
住居として使用される家屋１は、図１に示すように、家屋１の外観の上部に位置する屋根部２と、この屋根部２の下側であって、妻側および平側に構成される側壁部３とを備えている。散水システム１０は、このような家屋１に設置される。
【００１３】
屋根部２は、図１に示すように、棟部２ａから両側に向けて斜め下側に傾斜しており、この屋根部２の周縁角部（棟部２ａ、ケバラ部２ｂ、軒部２ｃ）に沿って、給水管１１が配設されている。また、側壁部３の周縁角部（出隅３ａ）には、この出隅３ａの上下方向に沿って、屋根部２と同様に、給水管１１が配設されている。
【００１４】
この給水管１１は、家庭の水道管（図視せず）から水道水が供給されるようになっており、分岐する各部でそれぞれ連結されている。また、給水管１１の連結部分には手動または電動で開閉可能な弁が設置されており、この弁を開閉することで、分岐する給水管１１のいずれに給水するかを設定できるようになっている。
【００１５】
また、屋根部２および側壁部３の周縁角部には、給水管１１に沿って複数の噴射ノズル１２が間隔を空けて配置されている。噴射ノズル１２は、給水管１１から給水された水をミスト状（霧状）に噴射するものである。また、これらの噴射ノズル１２の噴射口は、家屋１の外側の全方位にそれぞれ向けられており、図２に示すように、噴射されるミスト２０が家屋１の外側全体を満遍なく覆うように取り付けられている。
【００１６】
なお、家屋の形状は、図1に例示するもの以外にも様々にある。例えば、図１で示す屋根部２は、いわゆる切妻屋根であるが、妻側に傾斜のある寄棟屋根、上部に頂部を有する方形屋根などもある。これらの形状の屋根であっても、屋根の頂部、角部に沿って給水管１１および複数の噴霧ノズル１２を設けることで、家屋１の全方向に向けてミスト２０を噴射して、このミスト２０で家屋１の外側全体を覆うようにすることができる。
【００１７】
この散水システム１０は、図視しない制御手段によって、その運転が制御されている。例えば、家屋１の住人が、室温が高いと感じたときに運転ボタンを手動で押すことで、散水が開始／停止される。また、ミスト２０の噴出量の強弱を手動で調節できるようになっている。
【００１８】
また、外気温と室温の差を検出し、温度差が所定の閾値を超えた場合に、散水システム１０が自動で運転されるようにしてもよい。さらに、外気温と室温の温度差を段階的に設定し、この温度差の段階によって、ミスト２０の噴出量が自動的に増減するように調整してもよい。
【００１９】
さらに、風向計を設けて風向きの情報を得ることで、風向きによって噴射するミスト２０の強弱を制御することもできる。例えば、噴射口が風向きの上流に向けられた噴射ノズル１２からはミスト２０を多く噴射し、下流に向けられた噴射ノズル１２からは少なく噴射することで、ミスト２０の層２１（図２参照）を家屋１の外側に均一の厚みで満遍なく形成することができる。
【００２０】
また、就寝時の寝苦しさを解消するために、就寝時間にタイマーで自動運転するように設定することもできる。さらに、室内の湿度を検出し、閾値の湿度を超えた場合には、運転が自動で停止するようにしてもよい。また、使用した水量や電気を液晶画面で表示して、利用者が確認できるようにしてもよい。
【００２１】
これらの自動運転、噴出量の調整は、散水システム１０の給水管１１の連結部に設けられた複数の電磁弁を制御装置からの信号に基づいて開閉することによって行われる。
【００２２】
次に、本考案に係る散水システム１０の作用について説明する。
家屋１の各部位に取り付けられた複数の噴射ノズル１２は、家屋１の全方向に向けてミスト２０を噴射して、このミスト２０で家屋１の外側全体を覆うようにする。これにより、家屋１の外側には、図２に示すように、ミスト２０およびこのミスト２０の気化熱によって冷却された冷却空気の層２１が形成される。
【００２３】
層２１の内側（家屋１側）の空気２２は層２１によって漸次冷却され、外気２３の温度に影響されずに快適な温度に調整される。また、層２１の外側の外気２３は、層２１を通過して層２１の内側に入り込むときに冷却される。そのため、家屋１内では、外気２３が高温になったとしても、熱を感じることがない。
【００２４】
本考案の散水システム１０では、家屋１の屋根部２および側壁部３の周縁角部に取り付けられた給水管１１と、噴射口が家屋１の外側の全方向に向けてそれぞれ配置され、家屋１の外側の全方位にミスト２０を噴出する複数の噴射ノズル１２とを備えているので、家屋１の外側には、噴出されたミスト２０によって層２１が形成される。このミスト２０の層２１によって、家屋１は気化熱によって冷却され、熱帯夜の寝苦しい夜でも室内を快適な温度に維持することができる。
【００２５】
また、給水管１１に配設された電磁弁と、外気温、室温、風向きを検出することで、噴射ノズル１２が噴出するミスト２０の量を調整する制御手段を備えているので、これらの検出情報に基づいて自動運転を行うことができる。そのため、居住者が就寝中であっても、外部環境の変化に対応して、室内を快適な温度に維持することができる。
【００２６】
以上、本考案の実施形態に係る散水システム１０について述べたが、本考案は既述の実施形態に限定されるものではなく、本考案の技術思想に基づいて各種の変形および変更が可能である。
【００２７】
例えば、本実施の形態では、一般的な家屋１について例示で説明したが、マンション、テナントビル、工場施設でも設置することができる。これにより、層２１によって覆われた内部空間を快適な温度に維持することができる。
【符号の説明】
【００２８】
１  家屋
２  屋根部
２ａ  棟部
２ｂ  ケバラ部
２ｃ  軒部
３  側壁部
３ａ出隅
１０  散水システム
１１  給水管
１２  噴射ノズル
２０  ミスト
２１  層
２２  室内空気
２３  外気
【図１】
0003226623.tif 000003
【図２】
0003226623.tif 000004
【手続補正書】
【提出日】令和2年3月4日(2020.3.4)
【手続補正１】
【補正対象書類名】実用新案登録請求の範囲
【補正対象項目名】全文
【補正方法】変更
【補正の内容】
【実用新案登録請求の範囲】
【請求項１】
家屋の屋根部および側壁部の周縁角部に取り付けられた給水管と、
噴射口が前記家屋の外側の全方向に向けてそれぞれ配置され、前記家屋の外側の全方位にミストを噴出する複数の噴射ノズルと、
を備えたことを特徴とする散水システム。
【請求項２】
前記給水管に配設された電磁弁と、外気温、室温、風向きを検出することで、前記噴射ノズルが噴出するミストの量を調整する制御手段を備えたことを特徴とする請求項１に記載の散水システム。
【手続補正書】
【提出日】令和2年4月26日(2020.4.26)
【手続補正１】
【補正対象書類名】実用新案登録請求の範囲
【補正対象項目名】全文
【補正方法】変更
【補正の内容】
【実用新案登録請求の範囲】
【請求項１】
家屋の屋根部および側壁部の周縁角部に取り付けられた給水管と、
噴射口が前記家屋の外側の全方向に向けて、前記給水管に沿ってそれぞれ配置され、前記家屋の外側の全方位にミストを噴出する複数の噴射ノズルと、
を備えたことを特徴とする散水システム。
【請求項２】
前記給水管に配設された電磁弁と、外気温、室温、風向きを検出することで、前記噴射ノズルが噴出するミストの量を調整する制御手段とを備えたことを特徴とする請求項１に記載の散水システム。